(57)【要約】      （修正有）【課題】地震時の大きな揺れでも外れず、配線時の固定作業も簡単にできるケーブル支持具を提供する。【解決手段】ケーブル支持具は、左右に突出して形成された係合ガイドリブ間の正面側に突出形成され、上面がＵ字状のケーブル受け部１２、ケーブル受け部１２の正面側の中央から外側に突出形成され、留め金部が係合自在の突出部１４と係止穴１３から成る固定枠と、左右に突出して形成された指押え部３、先端に掛止部４を有する留め金部、指押え部３の中央から背面方向に向かって形成され、中間にｘ字状の係止部が形成された弾性押え枠及び弾性押え枠の中間部を覆うように取り付けられたプロテクター７から成る弾性ケーブル押え材と、から構成される。【選択図】図７
2020178449.tif 000002
【特許請求の範囲】
【請求項１】
左右に突出して形成された係合ガイドリブ、この係合ガイドリブ間において正面側に突出形成され、上面がＵ字状のケーブル受け部、このケーブル受け部の正面側の中央から外側に突出形成され、留め金部が係合自在の突出部、前記係合ガイドリブと前記ケーブル受け部間において左右に形成された係止穴、から成る固定枠と、左右に突出して形成された指押え部、この指押え部の正面側の中央から下向きに形成され、先端に掛止部を有する留め金部、前記指押え部の中央から背面方向に向かって形成され、中間にｘ字状の係止部が形成された押え枠、この押え枠の中間部を覆うように取り付けられたプロテクター、から成る弾性ケーブル押え材と、から構成されるケーブル支持具。
【請求項２】
平板状のベース板、このベース板の左右の両端を夫々対向する方向にコ字状に折り曲げて形成された屈曲ガイド、この左右の屈曲ガイド間において、ベース板から正面側に突出形成された滑止部、前記ベース板の上部及び下部に形成されたビス穴、から成る固定具の前記屈曲ガイド間に上方から前記係合ガイドリブを前記滑止部の位置まで挿入して前記固定枠を前記ベース板の正面に取り付けるよう構成される請求項１に記載のケーブル支持具。
【請求項３】
前記係合ガイドリブ及び前記固定枠は絶縁体で形成されていること、を特徴とする請求項１又は２に記載のケーブル支持具。
【発明の詳細な説明】
【技術分野】
【０００１】
本発明は、ケーブルを延長して配線する際に壁面、柱等にケーブルを吊設するようにして固定し、配線するケーブル支持具に関する。
【背景技術】
【０００２】
従来のケーブル支持具は、配線の作業性等から簡単に固定作業ができるように、配線経路壁等に沿って取り付けた支持具にワンタッチで押し込むように固定する方式である。
このため、配線作業は比較的簡単にできるが、地震時等において、簡単に外れ易いという欠点がある。
【０００３】
例えば、特開２０１７−５５４８３には、より確実にケーブル保持部の開口部からのケーブルの抜け出しを防止しかつケーブルを十分に安定的に保持できるものとして、ケーブル保持部１４が、第１の筒状形成部３０と、第１の筒状形成部３０よりも長い第２の筒状形成部３４と、第１／２の筒状形成部３０，３４の先端部の対向面間によって画成される開口部３８と、第１の筒状形成部３０の先端部に設けられた抜止突起４０と、第２の筒状形成部３４の先端部に設けられかつ第２の筒状形成部３４の内壁５４に連結された第１の押え板部５６と、第２の筒状形成部３４の内壁５４から第１の筒状形成部３０に向かって突出された第２の押え板部５８と、を備え、開口部３８を通じてケーブル７８が第１の押え板部５６と第２の押え板部５８の間に挟持された状態で、開口部３８とケーブル７８の間に抜止突起４０が配設されるように構成したケーブル固定具が提案されている。
【０００４】
しかし、上記ケーブル固定具は、作業性は改善されているが、地震の大きさによってはケーブルが固定具から外れ易い不安がある。
【先行技術文献】
【特許文献】
【０００５】
【特許文献１】特開２０１７−５５４８３号公報
【発明の概要】
【発明が解決しようとする課題】
【０００６】
本発明は、固定作業を簡単に行うことができると共に、地震時の大きな揺れに対して有効なケーブル支持具を提供することを目的とする。
【課題を解決するための手段】
【０００７】
上記の課題を解決するため、請求項１に記載の発明は、ケーブル支持具において、左右に突出して形成された係合ガイドリブ、この係合ガイドリブ間において正面側に突出形成され、上面がＵ字状のケーブル受け部、このケーブル受け部の正面側の中央から外側に突出形成され、留め金部が係合自在の突出部、前記係合ガイドリブと前記ケーブル受け部間において左右に形成された係止穴、から成る固定枠と、左右に突出して形成された指押え部、この指押え部の正面側の中央から下向きに形成され、先端に掛止部を有する留め金部、前記指押え部の中央から背面方向に向かって形成され、中間にｘ字状の係止部が形成された押え枠、この押え枠の中間部を覆うように取り付けられたプロテクター、から成る弾性ケーブル押え材と、から構成されることを特徴とするものである。
【０００８】
また、請求項２に記載の発明は、請求項１に記載のケーブル支持具において、平板状のベース板、このベース板の左右の両端を夫々対向する方向にコ字状に折り曲げて形成された屈曲ガイド、この左右の屈曲ガイド間において、ベース板から正面側に突出形成された滑止部、前記ベース板の上部及び下部に形成されたビス穴、から成る固定具の前記屈曲ガイド間に上方から前記係合ガイドリブを前記滑止部の位置まで挿入して前記固定枠を前記ベース板の正面に取り付けるよう構成されること、を特徴とするものである。
【０００９】
また、請求項３に記載の発明は、請求項１又は２に記載のケーブル支持具において、前記係合ガイドリブ及び前記固定枠は絶縁体で形成されていること、を特徴とするものである。
【発明の効果】
【００１０】
本発明によれば、固定枠及び弾性ケーブル押え材でケーブルを押えるようにして固定しているため、地震の揺れ程度でケーブルは支持具から外れない。
【００１１】
また、固定枠及び弾性ケーブル押え材は指先だけで簡単に取り付け及び取り外すことができるため、作業に特別な工具を必要としない。
【図面の簡単な説明】
【００１２】
【図１】弾性ケーブル押え材の説明図である。
【図２】弾性ケーブル押え材の平面図である。
【図３】弾性ケーブル押え材の背面図である。
【図４】弾性ケーブル押え材の左側面図である。
【図５】固定枠の説明図である。
【図６】固定具の説明図である。
【図７】ケーブル支持具の使用状態を示す説明図である。
【発明を実施するための形態】
【００１３】
以下、本発明の実施例を図１〜図７に基づいて詳細に説明する。
【実施例１】
【００１４】
図１は弾性ケーブル押え材の説明図であり、符号の１は弾性ケーブル押え材、２は指押え部３の中央から下向きに形成された留め金部、３は弾性ケーブル押え材１の左右に水平状に突出した指押え部、４は留め金部２の先端に形成された掛止部、５は指押え部３の中央から背面方向に向かって形成され、中間にｘ字状の係止部６が形成された押え枠、７は押え枠５の中間部を覆うように取り付けられたプロテクター７である。
【００１５】
図５は固定枠の説明図であり、符号の１０は固定枠、１１は固定枠１０の左右に突出して形成された係合ガイドリブ、１２は係合ガイドリブ１１間において正面側に一体的に突出した上面Ｕ字状のケーブル受け部、１３は係合ガイドリブ１１とケーブル受け部１２間において左右に形成された係止穴、１４はケーブル受け部１２の正面側の中央から外側に突出して形成された下方に掛止部４が係合自在の突出部である。
【００１６】
なお、係合ガイドリブ１１及び固定枠１０はゴム等の絶縁体で形成してもよい。
【００１７】
図６は固定具の説明図であり、符号の３０は固定具、３１は固定枠１０と係合するベース板、３２は係合ガイドリブ１１が上方から挿入自在の屈曲ガイド部、３３はビス孔、４０は滑止部である。
【００１８】
図７は、ケーブル支持具の使用状態を示す説明図であり、先ず固定具３０をビス孔３３を使用しビス等により壁面に固定した後、係合ガイドリブ１１を上方から屈曲ガイド３２内に挿入し、固定枠１０をベース板３１に沿わせながら滑止部４０の位置まで下方向にスライドさせて、固定枠１０は固定具３１に係止される。
【００１９】
次に、弾性ケーブル押え材１の係止部６をそれぞれ両側から係止穴１３に挿入することにより弾性ケーブル押え材１を固定枠１０に係合させた後、ケーブル受け部１２と係合するようにケーブル５０を矢印ａの方向に挿入する。
【００２０】
次に、指押え部３を矢印ｂの方向に指で押し、プロテクター７をケーブル５０の外表面に押し当てながら弾性ケーブル押え材１の留め金部２の掛止部４を突出部１４に引っ掛けることにより、ケーブル５０はケーブル支持具に固定される。
【００２１】
また、ケーブル５０は、指押え部３を矢印ｂの方向に指で押し、留め金部２の掛止部４を突出部１４から外すことによりプロテクター７の圧着状態から開放され、ケーブル支持具から取り外すことができる。
【符号の説明】
【００２２】
１  弾性ケーブル押え材
２  留め金部
３  指押え部
４  掛止部
５  弾性押え枠
６  係止部
７  プロテクター
１０  固定枠
１１  係合ガイドリブ
１２  ケーブル受け部
１３  係止穴
１４  突出部
【図１】
2020178449.tif 000003
【図２】
2020178449.tif 000004
【図３】
2020178449.tif 000005
【図４】
2020178449.tif 000006
【図５】
2020178449.tif 000007
【図６】
2020178449.tif 000008
【図７】
2020178449.tif 000009